(57)【要約】【課題】運転効率の低下を低減することができる空気調和機の室外機を提供する。【解決手段】圧縮機と熱交換器とを筐体１１内に配した空気調和機の室外機１０において、筺体１１の一側面に配されるとともに冷媒配管が接続される第１開閉弁２１及び第２開閉弁２２と、第１開閉弁２１及び第２開閉弁２２を覆って筺体１１に取り付けられるカバー６０と、カバー６０の内部に配さえるとともに第１開閉弁２１及び第２開閉弁２２に近接又は接触して第１開閉弁２１及び第２開閉弁２２を覆う断熱材から成る断熱部４０とを備えた。【選択図】図６
2016217668.tif 000002
【特許請求の範囲】
【請求項１】
圧縮機と熱交換器とを筐体内に配した空気調和機の室外機において、前記筺体の一側面に配されるとともに冷媒配管が接続される第１開閉弁及び第２開閉弁と、第１開閉弁及び第２開閉弁を覆って前記筺体に取り付けられるカバーと、前記カバーの内部に配されるとともに第１開閉弁及び第２開閉弁に近接又は接触して第１開閉弁及び第２開閉弁を覆う断熱材から成る断熱部とを備えたことを特徴とする空気調和機の室外機。
【請求項２】
前記断熱部によって前記筺体側面と前記カバー内面との間の空間を埋めることを特徴とする請求項１に記載の空気調和機の室外機。
【請求項３】
前記断熱部が前記カバー内面に固着されることを特徴とする請求項１又は請求項２に記載の空気調和機の室外機。
【請求項４】
前記冷媒配管の外周面を覆う断熱性の被覆材を配管の端部から延出して前記断熱部を形成したことを特徴とする請求項１に記載の空気調和機の室外機。
【請求項５】
前記カバーが前記冷媒配管の引出口を有し、前記断熱部により前記引出口を塞ぐことを特徴とする請求項１〜請求項４に記載の空気調和機の室外機。
【発明の詳細な説明】
【技術分野】
【０００１】
本発明は空気調和機の室外機に関する。
【背景技術】
【０００２】
従来の空気調和機の室外機が特許文献１に開示されている。この室外機は圧縮機と熱交換器とを筐体内に収納する。筐体の一側面には開閉弁が２箇所並設されている。開閉弁は室内機側から延びる冷媒配管と接続され、冷媒配管を介して冷媒が室内機と室外機との間を循環する。開閉弁を含む筐体の側面はカバーで覆われ、開閉弁と冷媒配管の接続部を雨滴等から保護する。
【先行技術文献】
【特許文献】
【０００３】
【特許文献１】特開２００３−７４９１０号公報
【発明の概要】
【発明が解決しようとする課題】
【０００４】
上記従来の室外機によると、開閉弁とカバーとの間に余分な空間が形成されて開閉弁から循環する冷媒が熱漏洩して室外機の運転効率が低下する問題があった。
【０００５】
本発明は、運転効率の低下を低減することができる空気調和機の室外機を提供することを目的とする。
【課題を解決するための手段】
【０００６】
上記目的を達成するために本発明は、圧縮機と熱交換器とを筐体内に配した空気調和機の室外機において、前記筺体の一側面に配されるとともに冷媒配管が接続される第１開閉弁及び第２開閉弁と、第１開閉弁及び第２開閉弁を覆って前記筺体に取り付けられるカバーと、前記カバーの内部に配されるとともに第１開閉弁及び第２開閉弁に近接又は接触して第１開閉弁及び第２開閉弁を覆う断熱材から成る断熱部とを備えたことを特徴としている。
【０００７】
この構成によると、第１開閉弁及び第２開閉弁に近接又は接触した断熱材から成る断熱部によって第１開閉弁及び第２開閉弁からの熱漏洩が低減する。
【０００８】
また、本発明は上記構成の空気調和機の室外機において、前記断熱部によって前記筺体側面と前記カバー内面との間の空間を埋めることを特徴としている。
【０００９】
また、本発明は上記構成の空気調和機の室外機において、前記断熱部が前記カバー内面に固着されることを特徴としている。
【００１０】
また、本発明は上記構成の空気調和機の室外機において、前記冷媒配管の外周面を覆う断熱性の被覆材を配管の端部から延出して前記断熱部を形成したことを特徴としている。
【００１１】
また、本発明は上記構成の空気調和機の室外機において、前記カバーが前記冷媒配管の引出口を有し、前記断熱部により前記引出口を塞ぐことを特徴としている。
【発明の効果】
【００１２】
本発明の空気調和機の室外機によると、第１開閉弁及び第２開閉弁に近接又は接触した断熱材から成る断熱部によって第１開閉弁及び第２開閉弁から循環する冷媒が熱漏洩するのを低減して室外機の運転効率を向上させることができる。
【図面の簡単な説明】
【００１３】
【図１】本発明の第１実施形態に係る室外機の正面図。
【図２】本発明の第１実施形態に係る室外機の右側部を背面側から示す斜視図。
【図３】本発明の第１実施形態に係る室外機の内部を示す斜視図。
【図４】本発明の第１実施形態に係る室外機のカバーを外した状態の右側面図。
【図５】本発明の第１実施形態に係る室外機の二方弁、三方弁を拡大して示す斜視図。
【図６】本発明の第１実施形態に係る室外機のカバーの内部を示す正面断面図。
【図７】図６のＡ矢示図。
【図８】本発明の第２実施形態に係る室外機のカバーの内部を示す正面断面図。
【図９】本発明の第３実施形態に係る室外機のカバーの内部を示す正面断面図。
【図１０】本発明の第３実施形態に係る冷媒配管の断面図。
【発明を実施するための形態】
【００１４】
＜第１実施形態＞
以下に本発明の第１実施形態を図面の参照にて説明する。図１はセパレート型の空気調和機の室外機１０の正面図であり、図２は室外機１０の右側部を背面側から示す斜視図である。また、図３は室外機１０の内部を示す斜視図である。
【００１５】
室外機１０は直方体状の筐体１１を備え、筺体１１内部には熱交換器１４、送風機１５及び圧縮機１６が収納されている。筐体１１の正面中央部には排気口１２が開口し、背面部には吸気口１３が開口する。排気口１２には円形のグリル１２ａが取り付けられている。筺体１１の右側面には着脱可能な樹脂性のカバー６０が設けられる。
【００１６】
圧縮機１６の駆動により冷媒が循環して熱サイクルが運転される。送風機１５を駆動するとその吸引力により外気が吸気口１３を介して筐体１１内に流入する。筐体１１内に流入した外気は熱交換器１４により熱交換され、排気口１２から外部に吹出される。
【００１７】
図４は室外機１０のカバー６０を外した状態の右側面図である。筐体１１の右側面下部には金属製の二方弁（第１開閉弁）２１及び三方弁（第２開閉弁）２２が突設されている。二方弁２１及び三方弁２２は樹脂製のカバー６０の下部に設けられた膨らみ部６５に覆われる。膨らみ部６５の背面側には引出口６５ａ（図２参照）が開口している。
【００１８】
図５は室外機１０の側面に配された二方弁２１、三方弁２２を拡大して示す斜視図である。二方弁２１は筺体１１外部において後方に突出する接続部２１ａ及び側方に突出するキャップ２１ｃを有する。また、三方弁２２は筺体１１外部において後方に突出する接続部２２ａと前方に突出するサービスポート２２ｂと側方に突出するキャップ２２ｃとを有する。
【００１９】
接続部２１ａ、２２ａには室内機（不図示）から導かれる冷媒配管３１、３２が夫々接続される。二方弁２１に接続される冷媒配管３１は冷房運転時に液体冷媒が流れる。三方弁２２に接続される冷媒配管３２は冷房運転時に気体冷媒が流れる。冷媒は二方弁２１、三方弁２２に冷媒配管３１、３２を夫々接続した後、サービスポート２２ｂを介して充填する。
【００２０】
また、キャップ２１ｃ、２２ｃを外して二方弁２１、三方弁２２内部を操作する二方弁２１、三方弁２２を開閉することができる。二方弁２１及び三方弁２２に接続された冷媒配管３１、３２及び送風機１３等に接続された電源線や制御線は引出口６５ａを介してカバー６０の外方に引き出される。
【００２１】
図６は室外機１０のカバー６０の内部を示す正面断面図であり、図７は図６のＡ矢示図であり断熱部４０を示している。カバー６０の膨らみ部６５の内面には両面テープ３０を介して断熱部４０が固着されている。断熱部４０は二方弁２１及び三方弁２２に近接して配される。
【００２２】
断熱部４０は発泡ウレタン樹脂、発泡スチロール樹脂、発泡フェノール樹脂、発泡ユリア樹脂等の断熱性樹脂から成る。これにより、二方弁２１及び三方弁２２を介して循環する冷媒が熱漏洩するのを低減することができる。したがって、室外機１０の運転効率を向上させることができる。
【００２３】
断熱部４０は二方弁２１及び三方弁２２により近接して配するために一面に冷媒配管３１、３２、二方弁２１及び三方弁２２の外形に沿って形成された凹部を有する。具体的には断熱部４０の中央部に第１凹部４３が設けられ、第１凹部４３の底部に第２凹部４１ａ、４２ａが上下に並設されている。また、第１凹部４３の外周から断熱部４０の外周に向かって第３凹部４４ａ、４４ｂが延びている。
【００２４】
断熱部４０で二方弁２１及び三方弁２２を覆ったときに第２凹部４１ａ、４２ａにキャップ２１ｃ、２２ｃが夫々収納される。また、第１凹部４３に接続部２１ａ、２２ａ及びサービスポート２２ｂが収納される。また、第３凹部４４ａ、４４ｂに冷媒配管３１、３２が収納される。
【００２５】
なお、断熱部４０は二方弁２１及び三方弁２２に接触して配してもよい。これにより、二方弁２１及び三方弁２２からの熱漏洩をより低減することができる。
【００２６】
また、断熱部４０はカバー６０を筐体１１の右側面にネジ止めしたときに二方弁２１及び三方弁２２を覆うように予め位置決めされて固着されている。これにより、カバー６０を筐体１１の側面に取り付ける際に二方弁２１及び三方弁２２と断熱部４０とを位置合わせする必要がない。従って、カバー６０を容易に着脱することができる。
【００２７】
本実施形態によると、カバー６０の内部に配して二方弁２１及び三方弁２２に近接又は接触して二方弁２１及び三方弁２２を覆う断熱材から成る断熱部４０を備えることにより、二方弁２１及び三方弁２２から循環する冷媒の熱漏洩が低減して室外機１０の運転効率を向上することができる。
【００２８】
また、断熱部４０がカバー６０内面に固着されることにより、カバー６０を筐体１１の側面に取り付ける際に二方弁２１及び三方弁２２と断熱部４０とを位置合わせする必要がない。従って、カバー６０を容易に着脱することができる。
【００２９】
なお、本実施形態において、断熱部４０によってカバー６０の引出口６５ａを塞いでもよい。この時、引出口６５ａを塞ぐ部分を冷媒配管３１、３２が通る切込みを設けたスポンジ状の軟質樹脂により形成すると、カバー６０を容易に着脱することができる。
【００３０】
＜第２実施形態＞
図８は第２実施形態に係る室外機１０のカバー６０の内部を示す正面断面図である。なお、第１実施形態と同一部分は同一符号を付して説明を省略する。第１実施形態に対して第２実施形態は断熱部４０によって筺体１１側面とカバー６０内面との間の空間が埋められている。
【００３１】
本実施形態の断熱部４０はカバー６０を取付けた後に引出口６５ａから膨らみ部６５内部に発泡断熱材の原液を注入し、原液が発泡及び硬化して形成される。これにより、二方弁２１及び三方弁２２に発泡断熱材から成る断熱部４０が密着し、二方弁２１及び三方弁２２から循環する冷媒が熱漏洩するのをより低減することができる。
【００３２】
なお、断熱部４０は泡状の断熱材を注入して硬化させて形成してもよい。
【００３３】
＜第３実施形態＞
図９は第３実施形態に係る室外機１０のカバー６０の内部を示す正面断面図であり、図１０は冷媒配管３１の断面図である。なお、第１実施形態と同一部分は同一符号を付して説明を省略する。第１実施形態に対して第３実施形態は断熱部４０が冷媒配管３１、３２の外周面を覆う断熱性の被覆材３３で形成されている。
【００３４】
具体的には、被覆材３３は冷媒配管３１の端部から延出して先端に袋部４５を形成している。これにより、冷媒配管３１を接続部２１ａに接続したときに二方弁２１全体を袋部４５で覆い、二方弁２１に近接または接触して二方弁２１を覆う断熱部４０が断熱材の被覆材３３により形成される。
【００３５】
また、冷媒配管３２も同様に断熱性の被覆材により外周面を覆われる。冷媒配管３２の端部から延出した被覆材３３から成る断熱部４０が三方弁２２に近接または接触して三方弁２２を覆う。従って、第１実施形態と同様に、二方弁２１及び三方弁２２から循環する冷媒の熱漏洩が低減して室外機１０の運転効率を向上することができる。
【００３６】
なお、本実施形態において、カバー６０の引出口６５ａを断熱部４０により塞いでもよい。この時、断熱部４０の引出口６５ａを塞ぐ部分を被覆材３３により形成してもよく、別部材の断熱材により形成してもよい。
【産業上の利用可能性】
【００３７】
本発明はセパレート型空気調和機の室外機に利用可能である。
【符号の説明】
【００３８】
１０            室外機
１１            筐体
１２            排気口
１２ａ          グリル
１３            吸気口
１４            熱交換器
１５            送風機
１６            圧縮機
２１            二方弁
２１ａ、２２ａ  接続部
２１ｃ、２２ｃ  キャップ
２２            三方弁
２２ｂ          サービスポート
３０            両面テープ
３１、３２      冷媒配管
３３            被覆材
４０            断熱部
４１ａ、４２ａ  第２凹部
４３            第１凹部
４４ａ、４４ｂ  第３凹部
４５            袋部
６０            カバー
６５            膨らみ部
６５ａ          引出口
【図１】
2016217668.tif 000003
【図２】
2016217668.tif 000004
【図３】
2016217668.tif 000005
【図４】
2016217668.tif 000006
【図５】
2016217668.tif 000007
【図６】
2016217668.tif 000008
【図７】
2016217668.tif 000009
【図８】
2016217668.tif 000010
【図９】
2016217668.tif 000011
【図１０】
2016217668.tif 000012